(57)【要約】【課題】  作物の茎の上部を先行して切断し、下部を後行して切断できるようにする。【解決手段】  移動機体２に装着されたフレーム３に、下回転刃４を回転して根菜作物Ｓの茎Ｓ１の下部を切断する下切断機構５と、上回転刃６を下回転刃４と同方向に回転して茎Ｓ１の上部を切断する上切断機構７と、原動機８から動力で上下切断機構５、７を駆動する駆動機構９とを備える。前記上切断機構７の上回転刃６を下切断機構５の下回転刃４より移動機体２進行方向において前上方に配置する。【選択図】図１
2012000057.tif 000002
【特許請求の範囲】
【請求項１】
移動機体（２）に装着されたフレーム（３）に、下回転刃（４）を回転して根菜作物（Ｓ）の茎（Ｓ１）の下部を切断する下切断機構（５）と、上回転刃（６）を下回転刃（４）と同方向に回転して茎（Ｓ１）の上部を切断する上切断機構（７）と、原動機（８）から動力で上下切断機構（５、７）を駆動する駆動機構（９）とを備えており、
前記上切断機構（７）の上回転刃（６）を下切断機構（５）の下回転刃（４）より移動機体（２）進行方向において前上方に配置していることを特徴とする茎切断装置。
【請求項２】
前記駆動機構（９）は原動機（８）から動力を伝達して下切断機構（５）を駆動する下駆動手段（１１）と、この下駆動手段（１１）から上切断機構（７）へ動力を伝達して上切断機構（７）を駆動する上駆動手段（１２）とを有していることを特徴とする請求項１に記載の茎切断装置。
【請求項３】
前記上駆動手段（１２）は下駆動手段（１１）から上方へ延設した伝動軸（１５）と、この伝動軸（１５）の上部から前方の上回転刃（６）へ動力を伝達する上伝動手段（１６）とを有することを特徴とする請求項２に記載の茎切断装置。
【請求項４】
前記上切断機構（７）は平面視において下回転軸（１３）の前方でかつ同一方向に回転する左右一対の上回転軸（１４）にそれぞれ上回転刃（６）を設けていることを特徴とする請求項１〜３のいずれか１項に記載の茎切断装置。
【請求項５】
前記下切断機構（５）は１本の下回転軸（１３）に下回転刃（４）を設けていることを特徴とする請求項１〜４のいずれか１項に記載の茎切断装置。
【請求項６】
前記下回転刃（４）の切断方向前方側となる下回転軸（１３）の側方に前記原動機（８）を配置し、この原動機（８）の移動機体進行方向前面側を覆いかつ切断後の茎（Ｓ１）の放出を案内するガイド部材（２０）を前記フレーム（３）に設けていることを特徴とする請求項５に記載の茎切断装置。
【請求項７】
前記下切断機構（５）は同一方向に回転する左右一対の下回転軸（１３）にそれぞれ下回転刃（４）を設けていることを特徴とする請求項１〜４のいずれか１項に記載の茎切断装置。
【請求項８】
前記下回転刃（４）よりも移動機体進行方向前方に突出しかつ下回転刃（４）の切断方向と反対側から下回転刃（４）へ茎（Ｓ１）を案内するデバイダ（２２）を有することを特徴とする請求項１〜７のいずれか１項に記載の茎切断装置。
【請求項９】
前記フレーム（３）の下方でかつ下切断機構（５）より後方に、根菜作物（Ｓ）の左右に植生する草を刈る左右一対のモア機構（２３）を中央間隔を開けて配置し、左右各モア機構（２３）の左右外側に前記原動機（８）から動力を伝達する補助伝動手段（２４）を設けていることを特徴とする請求項１〜８のいずれか１項に記載の茎切断装置。
【発明の詳細な説明】
【技術分野】
【０００１】
本発明は、植生されている根菜類の農作物の茎を切断する茎切断装置に関する。
【背景技術】
【０００２】
圃場に植生されている根菜作物を処理する従来技術においては、特許文献１に開示されているように、挟持ベルトで根菜作物を畝から引き抜いて、搬送しながら茎を回転刃で切断し、根を収穫すると共に、茎を側方へ放出するように構成されている。
【先行技術文献】
【特許文献】
【０００３】
【特許文献１】特開２０００−３２８２３号公報
【発明の概要】
【発明が解決しようとする課題】
【０００４】
前記従来技術は、ニンニク、ユリ、チューリップ等の、茎が細く弱小の作物の収穫には適用できるが、例えば、キャッサバ等の茎が太く頑強な作物の場合には、茎が障害になって根菜作物を収穫することが困難であり、挟持ベルトでは頑強な茎を搬送することが困難である。
そこで、根菜作物を収穫する前に頑強な茎を予め切断しておくことが要求され、また、その茎の一部を種茎として回収し易くしておくことが要求される。
【０００５】
本発明は、このような従来技術の問題点を解決しかつ要求に応えられるようにした茎切断装置を提供することを目的とする。
本発明は、作物の茎の上部を先行して切断し、下部を後行して切断できるようにした茎切断装置を提供することを目的とする。
【課題を解決するための手段】
【０００６】
本発明における課題解決のための具体的手段は、次の通りである。
第１に、移動機体２に装着されたフレーム３に、下回転刃４を回転して根菜作物Ｓの茎Ｓ１の下部を切断する下切断機構５と、上回転刃６を下回転刃４と同方向に回転して茎Ｓ１の上部を切断する上切断機構７と、原動機８から動力で上下切断機構５、７を駆動する駆動機構９とを備えており、
前記上切断機構７の上回転刃６を下切断機構５の下回転刃４より移動機体２進行方向において前上方に配置していることを特徴とする。
【０００７】
これによれば、植生されている作物Ｓの茎Ｓ１を上部と中途部とに分けて上から順に切断できる。また、作物Ｓの上に広がった茎Ｓ１の上部分から切断することになり、効率よく横放出できる。
第２に、前記駆動機構９は原動機８から動力を伝達して下切断機構５を駆動する下駆動手段１１と、この下駆動手段１１から上切断機構７へ動力を伝達して上切断機構７を駆動する上駆動手段１２とを有していることを特徴とする。
【０００８】
これによれば、装置全体重心を低く抑えることができると共に、安価で効率的な伝動機構が得られる。
第３に、前記上駆動手段１２は下駆動手段１１から上方へ延設した伝動軸１５と、この伝動軸１５の上部から前方の上回転刃６へ動力を伝達する上伝動手段１６とを有することを特徴とする。
【０００９】
これによれば、上伝動手段１６への伝動手段のための配置空間が前後方向に小さくでき、移動機体２から前方に大きく出っ張らないで配置することができる。
第４に、前記上切断機構７は平面視において下回転軸１３の前方でかつ同一方向に回転する左右一対の上回転軸１４にそれぞれ上回転刃６を設けていることを特徴とする。
これによれば、幅広い面積での切断が行なえるため上に向かって広がった茎Ｓ１の切断に適しており、枝分かれしている茎Ｓ１の上部を確実に切断し、かつ切断しながらその上部切断箇所より上の茎Ｓ１を上回転刃６で側方へ放出できる。
【００１０】
第５に、前記下切断機構５は１本の下回転軸１３に下回転刃４を設けていることを特徴
とする。
これによれば、１本の下回転軸１３の下回転刃４で、茎Ｓ１の下部を確実かつ効率よく切断でき横側方へ放出できる。
第６に、前記下回転刃４の切断方向前方側となる下回転軸１３の側方に前記原動機８を配置し、この原動機８の移動機体進行方向前面側を覆いかつ切断後の茎Ｓ１の放出を案内するガイド部材２０を前記フレーム３に設けていることを特徴とする。
【００１１】
これによれば、下回転軸１３の空いた側方に原動機８を設置して、装置の前後幅を可及的に小さくでき、この原動機８を覆うガイド部材２０で、原動機８側への茎Ｓ１の侵入を防止でき、かつ切断後の茎Ｓ１の放出を案内することができる。
第７に、前記下切断機構５は同一方向に回転する左右一対の下回転軸１３にそれぞれ下回転刃４を設けていることを特徴とする。
【００１２】
これによれば、作物Ｓが千鳥状に植生されていても、移動機体２を大きく操舵することなく、茎Ｓ１の下部を確実に切断でき、かつ切断しながら下部切断箇所より上の茎Ｓ１中間を左右下回転刃４で強力に横側方へ放出できる。
第８に、前記下回転刃４よりも移動機体進行方向前方に突出しかつ下回転刃４の切断方向と反対側から下回転刃４へ茎Ｓ１を案内するデバイダ２２を有することを特徴とする。
【００１３】
これによれば、移動機体２進行方向前方でかつ下回転刃４の切断方向と反対側から下回転刃４へ茎Ｓ１を案内でき、側方にはみ出した枝葉の切断も可能となる。
第９に、前記フレーム３の下方でかつ下切断機構５より後方に、根菜作物Ｓの左右に植生する草を刈る左右一対のモア機構２３を中央間隔を開けて配置し、左右各モア機構２３の左右外側に前記原動機８から動力を伝達する補助伝動手段２４を設けていることを特徴とする。
【００１４】
これによれば、左右モア機構２３で根菜作物Ｓの左右に植生する草を刈ることができ、作物Ｓの堀取り作業においてつまりを発生するような余分な雑草を、茎切断、放出と同時に除去処理することができる。
【発明の効果】
【００１５】
本発明によれば、植生されている作物の茎を上部と中途部とに分けて上から順に切断できる。
【図面の簡単な説明】
【００１６】
【図１】本発明の第１実施形態を示す全体側面図である。
【図２】同全体平面図である。
【図３】同正面図である。
【図４】同左側面図である。
【図５】下切断機構の断面側面図である。
【図６】下切断機構の正面図である。
【図７】下切断機構の平面図である。
【図８】上切断機構の断面側面図である。
【図９】上切断機構の平面図である。
【図１０】第２実施形態を示す左側面図である。
【図１１】下切断機構及びモア機構の一部正面図である。
【図１２】第３実施形態を示す全体側面図ある。
【図１３】同全体平面図である。
【図１４】同上下切断機構及びモア機構の断面説明図である。
【発明を実施するための形態】
【００１７】
以下、本発明の実施の形態を図面に基づいて説明する。
図１〜９に示す第１実施形態において、根菜作物Ｓの茎Ｓ１を切断する茎切断装置１Ａはトラクタ等の移動機体２に昇降自在に装着されている。移動機体２にはブーム２８が装着され、ブーム２８の先端に茎切断装置１Ａが装着され、ブーム２８とフロントガード２９との間に設けられたブームシリンダ３０によって、茎切断装置１Ａは高さ調整自在になっている。
【００１８】
ブーム２８の左右の先端に左右一対の装着具３１がそれぞれ縦ピン３２を介して連結され、この装着具３１に茎切断装置１Ａのフレーム３の底板３ａの背面に設けた左右一対の連結具３３がそれぞれ２本の横ピン３４を介して連結されている。
前記装着具３１には横ピン３４が挿通される孔３１ａが上下方向複数配列され、前記連結具３３には、図１、４、５に示すように、横ピン３４が挿通される孔３３ａが上下方向円弧状に複数配列され、両孔３１ａ、３３ａの内、上下方向中央の孔とその他の一致した孔に横ピン３４を挿通することにより、連結具３３は選択した孔によって決まる傾斜角度で装着具３１に対して連結される。
【００１９】
前記連結具３３は両孔３１ａ、３３ａの内の中央孔に横ピン３４のみを挿通することにより前後傾動させることができ、ブーム２８の先端の高さに応じて連結具３３を垂直姿勢にし、その状態で中央孔以外の合致する孔３１ａ、３３ａに第２の横ピン３４を挿入して装着具３１に連結する。
茎切断装置１Ａの高さは、作物Ｓを植生している畝の高さに対応して、また、茎Ｓ１の切断したい高さに対向して変更され、茎切断装置１Ａが目的高さになるようにブーム２８の先端の高さを決定し、その高さで茎切断装置１Ａを圃場に対して略垂直姿勢になるように装着具３１との角度を設定する。
【００２０】
前記茎切断装置１Ａは作物Ｓの茎Ｓ１を上下２段で切断可能であり、フレーム３上に、茎Ｓ１の下部を切断する下切断機構５と、茎Ｓ１の上部を切断する上切断機構７と、原動機８から動力で上下切断機構５、７を駆動する駆動機構９とを備え、上切断機構７の上回転刃６を下切断機構５の下回転刃４より移動機体２進行方向に対して前上方に配置している。
【００２１】
フレーム３の底板３ａ上には左右方向中央にギヤケース３５が固定され、このギヤケース３５の左右一側方（実施形態では移動機体２の進行方向右側）にはエンジン又は油圧モータ等の原動機８が配置され、原動機８とギヤケース３５の入力軸３５ａとの間には下ベルト伝動手段３７が設けられ、入力軸３５ａと下回転軸１３との間には噛合している一対のベベルギヤ３６が設けられ、これらによって下駆動手段１１が構成されている。
【００２２】
前記原動機８は駆動機構９のギヤケース３５と左右に並べて配置されているので、フレーム３の底板３ａ上で前後方向のスペースを占有することがなく、茎切断装置１Ａの前後寸法を短くできるようにしている。
前記下切断機構５は、フレーム３の左右方向中央に設けたギヤケース３５に１本の下回転軸１３を垂直に配置し、ギヤケース３５から下方へ突出した下回転軸１３の下端にフランジ板３８が固着され、このフランジ板３８の下面に下刃取付円板３９がボルト固定され、この下刃取付円板３９の下面に周方向複数枚（図２、７では５枚）の下回転刃４がボルト固定されている。
【００２３】
下回転刃４は長方形板の回転方向前後縁及び径内外縁に刃部が形成されており、下刃取付円板３９に対して径内外方向に取り付け勝手を変更することにより、前後両縁の刃部を切断用に使用できる。
原動機８からの動力は、入力軸３５ａから一対のベベルギヤ３６を介して下回転軸１３に伝達され、下回転刃４は図２、７では平面視時計方向に回転駆動される。
【００２４】
前記ギヤケース３５の上部には支持筒２１が立設され、この支持筒２１に下回転軸１３の上部及び伝動軸１５が支持されかつ覆われている。伝動軸１５は下回転軸１３の上端に同心状に連結され、この伝動軸１５の上部は支持筒２１の上部に回転自在に支持されている。
図８、９において、前記支持筒２１の上部には伝動ケース４０の後部が固定されている。この伝動ケース４０は支持筒２１に固定の後部から左右前方へ平面視略Ｖ字形状に広がっており、伝動ケース４０の左右先端側にはそれぞれ上回転軸１４が回転自在に支持され、１本の下回転軸１３と前方の左右上回転軸１４とは平面視三角配置されている。
【００２５】
伝動ケース４０内において、伝動軸１５の上部と左右上回転軸１４の上部との間には、ベルト伝動手段で形成された上伝動手段１６が設けられており、左右上回転刃６を下回転刃４と同方向（平面視時計方向）に回転駆動する。前記伝動軸１５と上伝動手段１６とで
上切断機構７を駆動する上駆動手段１２が構成されている。
前記各上回転軸１４の下端には上刃取付円板４１が着脱自在に固定され、この上刃取付円板４１の下面には周方向複数枚（図２では３枚）の上回転刃６がボルト固定されている。従って、上切断機構７の上回転刃６は下切断機構５の下回転刃４より移動機体２進行方向に対して前上方に配置されている。
【００２６】
左右上回転刃６は左右上回転軸１４間で反対方向の回転となるので、左右の上刃取付円板４１は上下にずらされていて、左右上回転刃６が干渉することはない。
前記伝動ケース４０の左右前部の下部には、上回転刃６の前方及び左右外方を覆う刃カバー４３が設けられている。この刃カバー４３は伝動ケース４０に固定の円弧形状の固定カバー４３Ａと、この固定カバー４３Ａに円弧方向位置調整自在に設けられた可動カバー４３Ｂとを有する。
【００２７】
前記可動カバー４３Ｂは、切断作業時は固定カバー４３Ａに重合させて上回転刃６の前方を開放し、非切断作業時は固定カバー４３Ａから突出して上回転刃６の前方を閉鎖する。右側可動カバー４３Ｂは、切断作業時に右上回転刃６の移動機体２進行方向前方だけでなく、右側方、即ち、上回転刃６の切断方向前方も開放し、切断した茎Ｓ１の放出を妨害しないようになっている。
【００２８】
前記支持筒２１の上部には伝動ケース４０の前後中途部を支持する平面視略Ｖ字形状の支持部材４４が設けられ、支持筒２１の上下方向中途部には前面側にデバイダ２２が設けられている。
このデバイダ２２は図１、２に示すように、パイプ材、棒材等で形成されており、支持筒２１から前方でかつ左右外側（左側）へ下向き傾斜した主杆２２Ａと、この主杆２２Ａの前部から後方であって主杆２２Ａより上方でかつ左右中央側へ延設されたガイド杆２２Ｂとを有しており、移動機体２進行方向前方でかつ下回転刃４の切断方向と反対側から下回転刃４及び上回転刃６へ茎Ｓ１を案内可能にしている。
【００２９】
図１〜４において、前記フレーム３には底板３ａの左右側部からそれぞれ前後支柱部材３ｂが立設され、底板３ａ及び前後支柱部材３ｂを利用して、切断後の茎Ｓ１の放出を案内するガイド部材２０と、土石の飛散を防ぐ防御部材４５とが設けられている。
前記ガイド部材２０は、上下３本の横パイプ材を複数本の縦パイプ材で連結してガイド枠２０ａを形成し、このガイド枠２０ａに網材２０ｂを取り付けて構成されている。
【００３０】
ガイド部材２０は底板３ａ及び前支柱部材３ｂに取り付けられていて、上下回転刃４、６間に配置されており、平面視略コの字形状であって、原動機８及び駆動機構９の前方及び左右側方を覆って、茎Ｓ１の侵入を防止しながら切断後の茎Ｓ１が側方へ放出されるように案内する。
ガイド部材２０は平面視略Ｌの字形状に形成して底板３ａの左右端部に取り付けてもよく、少なくとも切断後の茎Ｓ１の放出を案内すべく、下回転刃４の切断方向前方側に配置されておればよい。
【００３１】
防御部材４５は後支柱部材３ｂに取り付けられて茎切断装置１Ａの背面に配置されており、側面視ヘの字形状であって、特に上回転刃６から移動機体２へ切断茎Ｓ１が飛散するのを防止している。この防御部材４５はパイプ材製の枠体４５ａの上部及び中途部に網材４５ｂを取り付けて構成されている。
次に、前記第１実施形態の茎切断装置１Ａによる茎切断作業を説明する。
【００３２】
圃場の畝に植生された根菜作物Ｓの茎Ｓ１に対して、ブームシリンダ３０を介して茎切断装置１Ａを最適な高さに配置し、原動機８及び駆動機構９で上下切断機構５、７を駆動しながら移動機体２を前進させる。
デバイダ２２で茎Ｓ１を移動機体２の進行方向左側に傾倒している茎Ｓ１を中央へ寄せながら、進行方向最先端に位置する左右上回転刃６が、下回転刃４に先行して作物Ｓの枝分かれしている茎Ｓ１の上部を順次切断し、切断箇所より上側の切断茎Ｓ１を左右上回転刃６の切断方向前方（移動機体進行方向右方向）へ放出する。放出された切断茎Ｓ１は畝間溝に集められる。
【００３３】
上部が切断された作物Ｓの茎Ｓ１は、次に下切断機構５の下回転刃４を打ち当たること
になり、この下回転刃４によって枝分かれしている茎Ｓ１の下部が切断され、切断箇所より上側の切断茎Ｓ１を下回転刃４の切断方向前方（上回転刃６と同一の右方向）へ放出する。切断茎Ｓ１は原動機８の移動機体進行方向前面側を覆うガイド部材２０によって案内され、放出された切断茎Ｓ１は畝間溝に集められる。
【００３４】
この上下切断箇所の間の茎Ｓ１は、移植用の種茎として利用でき、茎Ｓ１が下部まで切断された残りの作物Ｓは、後処理として堀取り機によって根菜とともに掘り取られる。この堀取り機は、移動機体２の後方に連結装着することもでき、移動機体２に堀取り機を装着すると、作物Ｓの茎Ｓの切断処理から根菜の掘り取りまで同時に作業できる。
図１０、１１に示す第２実施形態において、茎切断装置１Ｂは、フレーム３の底板３ａの下方でかつ下切断機構５より後方に、作物Ｓの左右に植生する草を刈る左右一対のモア機構２３を中央間隔を開けて配置している。
【００３５】
フレーム３の底板３ａの左右端部には補助ケース４７が固定され、この補助ケース４７の後下部にモア機構２３のモア軸４８が回転自在に支持されており、モア軸４８は補助ケース４７内の補助伝動手段２４によって原動機８から動力が伝達される。
モア軸４８は補助ケース４７に支持された端部軸４８Ａに筒体４８Ｂを固定し、この筒体４８Ｂの外周に周方向及び軸方向に間隔をおいて多数本のタイン４８Ｃが設けられている。
【００３６】
茎切断装置１Ｂの駆動機構９は、底板３ａ上のギヤケース３５が横長に形成され、伝動軸１５から左右方向に離れた位置に、原動機８から下ベベル伝動手段３７を介して動力が伝達される入力軸３５ａが設けられている。
ギヤケース３５には、伝動軸１５から一方の補助ケース４７に至る第１水平軸４９Ａと、伝動軸１５から他方の補助ケース４７に至る第２水平軸４９Ｂと、入力軸３５ａと第１水平軸４９Ａとの間の正逆切換伝動手段５０とが設けられている。
【００３７】
前記正逆切換伝動手段５０は、入力軸３５ａに設けたベベルギヤ５０ａと、第１水平軸４９Ａに相対回転自在に嵌合しかつ前記ベベルギヤ５０ａと同時噛合している正逆ベベルギヤ５０ｂ、５０ｃと、この正逆ベベルギヤ５０ｂ、５０ｃを第１水平軸４９Ａに択一的に結合するシフタ部材５０ｄと、シフタ部材５０ｄを摺動操作するシフトレバー５０ｅとを有し、入力軸３５ａからの動力を正転又は逆転して左右の補助伝動手段２４に伝達可能にしている。
【００３８】
左右補助伝動手段２４の一方には逆転ギヤ５１が設けられており、左右モア軸４８を同一方向に回転するように構成されている。
前記第１、第２水平軸４９Ａ、４９Ｂの対向端部にはベベルピニオン５２が形成されており、両ベベルピニオン５２は伝動軸１５に設けられたベベルギヤ３６と同時噛合しており、第１水平軸４９Ａの動力はベベルギヤ３６を介して伝動軸１５と第２水平軸４９Ｂとに伝達される。
【００３９】
原動機８の動力は入力軸３５ａから正逆切換伝動手段５０を介して第１水平軸４９Ａに伝達され、第１水平軸４９Ａから左右一方の補助伝動手段２４を介して同側のモア軸４８に伝達され、これと同時にベベルギヤ３６を介して第２水平軸４９Ｂに伝達され、第２水平軸４９Ｂから左右他方の補助伝動手段２４を介して同側のモア軸４８に伝達され、左右モア軸４８を同一方向に回転させ、左右多数本のタイン４８Ｃで草を刈る。
【００４０】
そして、前記ベベルギヤ３６の回転によって伝動軸１５が駆動され、伝動軸１５の下端の下回転軸１３を駆動し、伝動軸１５の上部から上伝動手段１６を介して左右上回転軸１４を駆動する。
前記茎切断装置１Ｂは、作物Ｓの茎Ｓ１の上下２箇所の切断と同時に作物Ｓの左右側の除草ができ、しかも正逆切換伝動手段５０によって切断茎Ｓ１の放出方向を左右に切り換えることができる。
【００４１】
前記下回転刃４及び上回転刃６は、回転方向前後縁及び径内外縁に刃部が形成されており、切断方向を正逆どちら回転にしても切断できる。
図１２〜１４に示す第３実施形態において、茎切断装置１Ｃは、下切断機構５が同一方向に回転する左右一対の下回転軸１３Ａ、１３Ｂにそれぞれ下回転刃４を設けて構成され
、原動機８が下切断機構５の後方に配置され、また、第２実施形態と同様に左右一対のモア機構２３を備えている。
【００４２】
上切断機構７は第１実施形態と同様に上回転刃６が左右一対配置されているが、上駆動手段１２は左右一対あって、左右それぞれの下回転軸１３Ａ、１３Ｂから上回転軸１４Ａ、１４Ｂへ動力を伝達する構造となっている。伝動ケース４０は別個に形成することもできるが、共通形状になっている。
フレーム３の底板３ａの後部に原動機８が搭載され、この底板３ａの前上部に左右ブラケット５５を介して駆動機構９のギヤケース３５が支持され、このギヤケース３５の左右両端にモア機構２３の補助ケース４７が連結されている。
【００４３】
前記茎切断装置１Ｃのギヤケース３５は中央ギヤケース３５Ａと左右ギヤケース３５Ｂ、３５Ｃとを左右方向に連結しており、中央ギヤケース３５Ａには入力軸３５ａと中央水平軸５６とが支持され、入力軸３５ａと中央水平軸５６との間に第２実施形態と同様の正逆切換伝動手段５０が設けられている。
前記左右各ギヤケース３５Ｂ、３５Ｃには、左右下回転軸１３Ａ、１３Ｂがそれぞれ上下方向に貫通し、この各回転軸１３Ａ、１３Ｂを挟んで中央水平軸５６の各端部と、左右各外端が左右各補助伝動手段２４の入力軸となる第１、第２水平軸４９Ａ、４９Ｂの各内端とが配置され、各回転軸１３Ａ、１３Ｂにベベルギヤ３６Ａ、３６Ｂが設けられ、このベベルギヤ３６Ａ、３６Ｂにそれぞれ中央水平軸５６の両端のベベルギヤ５６ａと第１、第２水平軸４９Ａ、４９Ｂのベベルピニオン５２とがそれぞれ噛合している。
【００４４】
原動機８の動力は入力軸３５ａから正逆切換伝動手段５０を介して中央水平軸５６に伝達され、中央水平軸５６からベベルギヤ３６Ａを介して第１水平軸４９Ａに伝達され、第１水平軸４９Ａから逆転ギヤ５１及び補助伝動手段２４を介して同側（左側）のモア軸４８に伝達され、これと同時に中央水平軸５６からベベルギヤ３６Ｂを介して第２水平軸４９Ｂに伝達され、第２水平軸４９Ｂから左右他方の補助伝動手段２４を介して同側（右側）のモア軸４８に伝達され、左右モア軸４８を同一方向に回転させ、左右多数本のタイン４８Ｃで草を刈る。
【００４５】
そして、前記ベベルギヤ３６Ａ、３６Ｂの回転によって左右下回転軸１３Ａ、１３Ｂが同一回転方向（図１３の平面図において時計方向）に駆動され、左右下回転刃４による切断動作が行われ、これと同時に左右伝動軸１５Ａ、１５Ｂが同一回転方向に駆動され、伝動軸１５Ａ、１５Ｂの上部から上伝動手段１６を介して左右上回転軸１４が駆動され、左右下回転刃４の上方で先行して左右上回転刃６による切断動作が行われる。
【００４６】
前記茎切断装置１Ｃは、作物Ｓの茎Ｓ１の上下２箇所の切断と同時に作物Ｓの周囲の除草ができ、しかも正逆切換伝動手段５０によって切断茎Ｓ１の放出方向を左右に切り換えることができる。
なお、本発明は前記実施形態における各部材の形状及びそれぞれの前後・左右・上下の位置関係は、図１〜１４に示すように構成することが最良である。しかし、前記各実施形態に限定されるものではなく、部材、構成を種々変形したり、組み合わせを変更したりすることもできる。
【００４７】
例えば、下切断機構５の下回転軸１３を１本にしかつ上切断機構７の上回転軸１４を１本にして、左右中央に配置したり、上切断機構７を上下複数段に設けて、下段より上段を次第に前方に配置し、茎Ｓ１を３箇所以上で切断するように構成したりしてもよい。
また、駆動機構９は、伝動軸１５を割愛して、原動機８又は下ベルト伝動手段３７から上伝動手段１６へ動力を伝達するようにしたり、下ベルト伝動手段３７の代わりに正逆転切換え可能なギヤ伝動手段を設けたりしてもよい。
【符号の説明】
【００４８】
１        茎切断装置
２        移動機体
３        フレーム
４        下回転刃
５        下切断機構
６        上回転刃
７        上切断機構
８        原動機
９        駆動機構
１１      下駆動手段
１２      上駆動手段
１３      下回転軸
１４      上回転軸
１５      伝動軸
１６      上伝動手段
２０      ガイド部材
２１      支持筒
２２      デバイダ
２３      モア機構
２４      補助伝動手段
Ｓ        根菜作物
Ｓ１      茎
【図１】
2012000057.tif 000003
【図２】
2012000057.tif 000004
【図３】
2012000057.tif 000005
【図４】
2012000057.tif 000006
【図５】
2012000057.tif 000007
【図６】
2012000057.tif 000008
【図７】
2012000057.tif 000009
【図８】
2012000057.tif 000010
【図９】
2012000057.tif 000011
【図１０】
2012000057.tif 000012
【図１１】
2012000057.tif 000013
【図１２】
2012000057.tif 000014
【図１３】
2012000057.tif 000015
【図１４】
2012000057.tif 000016